(57)【要約】【課題】  キャリアシートを使ってスキャンする際に、原稿の折り目の位置に関わらず原稿を正しく読み取り、画像合成を行う。【解決手段】  読取用シートの表面及び裏面から、各々表面画像及び裏面画像を読み取る。表面画像及び裏面画像の少なくとも一方の所定の位置に存在する、表面画像と裏面画像との合成を指示するための合成指示マークを検出する。合成指示マークを検出する場合、合成指示マークの位置に基づいて、表面画像及び裏面画像の少なくとも一方から画像を切り出す切出位置を判定する。判定される切出位置から切り出した表面切出画像及び裏面切出画像を合成する。【選択図】  図１
2014068243.tif 000002
【特許請求の範囲】
【請求項１】
一対のフイルムシートの一辺をとじ合わせ内部に原稿を挟むことのできる読取用シートを用いて読み取った画像を処理する画像処理装置であって、
前記読取用シートの表面及び裏面から、各々表面画像及び裏面画像を読み取る画像読取部と、
前記表面画像及び前記裏面画像の少なくとも一方の所定の位置に存在する、前記表面画像と前記裏面画像との合成を指示するための合成指示マークを検出するマーク検出部と、
前記マーク検出部が前記合成指示マークを検出する場合、前記合成指示マークの位置に基づいて、前記表面画像及び前記裏面画像の少なくとも一方から画像を切り出す切出位置を判定する切出判定部と、
前記切出判定部で判定される切出位置から切り出した表面切出画像及び裏面切出画像を合成する画像合成部と
を有することを特徴とする画像処理装置。
【請求項２】
前記切出位置を基準に、前記表面画像及び裏面画像の少なくとも一方から画像を切り出す有効領域を設定する設定手段を更に備える
ことを特徴とする請求項１に記載の画像処理装置。
【請求項３】
前記合成指示マークは、前記切出位置を示す画像切出位置マークを兼ねている
ことを特徴とする請求項１に記載の画像処理装置。
【請求項４】
前記合成指示マークは、その位置が前記読取用シートの所定の領域内で変更可能に構成されている
ことを特徴とする請求項１乃至３のいずれか１項に記載の画像処理装置。
【請求項５】
一対のフイルムシートの一辺をとじ合わせ内部に原稿を挟むことのできる読取用シートを用いて読み取った画像を処理する画像処理装置の制御方法であって、
前記読取用シートの表面及び裏面から、各々表面画像及び裏面画像を読み取る読取工程と、
前記表面画像及び前記裏面画像の少なくとも一方の所定の位置に存在する、前記表面画像と前記裏面画像との合成を指示するための合成指示マークを検出する検出工程と、
前記検出工程が前記合成指示マークを検出する場合、前記合成指示マークの位置に基づいて、前記表面画像及び前記裏面画像の少なくとも一方から画像を切り出す切出位置を判定する判定工程と、
前記判定工程で判定される切出位置から切り出した表面切出画像及び裏面切出画像を合成する合成工程と
を有することを特徴とする画像処理装置の制御方法。
【請求項６】
一対のフイルムシートの一辺をとじ合わせ内部に原稿を挟むことのできる読取用シートを用いて読み取った画像を処理する画像処理装置の制御をコンピュータに機能させるためのプログラムであって、
前記コンピュータを、
前記読取用シートの表面及び裏面から、各々表面画像及び裏面画像を読み取る画像読取部と、
前記表面画像及び前記裏面画像の少なくとも一方の所定の位置に存在する、前記表面画像と前記裏面画像との合成を指示するための合成指示マークを検出するマーク検出部と、
前記マーク検出部が前記合成指示マークを検出する場合、前記合成指示マークの位置に基づいて、前記表面画像及び前記裏面画像の少なくとも一方から画像を切り出す切出位置を判定する切出判定部と、
前記切出判定部で判定される切出位置から切り出した表面切出画像及び裏面切出画像を合成する画像合成部と
して機能させることを特徴とするプログラム。
【請求項７】
一対のフイルムシートの一辺をとじ合わせ内部に原稿を挟むことのできる読取用シートであって、
前記原稿が挟まれた前記読取用シートの表裏を画像読取部で読み取ることで得られる表面画像と裏面画像との合成を指示するための合成指示マークが、当該読取用シート上の表面及び裏面の少なくとも一方における前記画像読取部で読取可能な位置で、かつその位置が変更可能に配置されている
ことを特徴とする読取用シート。
【請求項８】
前記合成指示マークは、前記画像読取部が前記読取用シートから読み取る画像の画像有効領域を規定する画像切出位置マークとしても使用される
ことを特徴とする請求項７に記載の読取用シート。
【発明の詳細な説明】
【技術分野】
【０００１】
本発明は、画像読取装置（例えば、スキャナー、ファクシミリ等）で読み取られた画像を処理する画像処理装置に関するものである。
【背景技術】
【０００２】
画像読取装置で読み取り可能な原稿サイズ（例えば、Ａ４サイズ）より大きなサイズ（例えば、Ａ３サイズ）の原稿を、キャリアシートを使って読み取る方法が提案されている。キャリアシートは、図１１の１６０２に示すような一対の透明なフィルムで構成されている。キャリアシートの上部の領域１６０３は、綴り合せられている。原稿をキャリアシートに配置するには、１６０１に示すように原稿を半分に折り曲げてキャリアシートに挟み込む。
【０００３】
次に、キャリアシートを使って読み取った表裏画像の表裏結合について、図を用いて説明する。図１２の１１は、半分に折り曲げられた従来例の原稿である。図１２の１６は、一対の透明なフィルムで構成されたキャリアシートである。図１２の１４は、キャリアシートに印刷された合成指示マークである。キャリアシート１６に折り曲げた原稿１１を配置すると、表面が図１２の１２、また裏面が図１２の１３のようになる。
【０００４】
図１３は、従来の画像処理装置の構成図であり、画像読取部４と、画像処理部１４００とからなる。
【０００５】
図１４は、画像読取部４を示す断面図である。画像読取部４は、給紙口４０１に原稿４１１が置かれていることを検知するための原稿検知センサー４０２、給紙口に置かれた原稿を搬送するための搬送ローラー４０５を備える。また、画像読取部４は、搬送された原稿の表面を読み取る表面画像読取センサー４０４、搬送された原稿の裏面を読み取るための裏面画像読取センサー４０３を備える。
【０００６】
画像処理部１４００は、ソフトウェアとしてＯＳプログラムや画像データを編集するためのソフトウェア群を記憶する記憶部１４０７、画像処理部１４００に接続された画像読取部４の情報や画像データを読み込む通信部１４０１を備える。また、画像処理部１４００は、通信部１４０１から取り込んだ画像を処理するための制御部１４０２、制御部１４０２で処理された画像を外部へ出力するための入出力部１４０６を備える。
【０００７】
画像処理部１４００には、処理内容をユーザーに通知するための表示装置（不図示）とユーザーからの指示を入力するキーボードやポインティングデバイス等の入力装置（不図示）が接続される。
【０００８】
制御部１４０２は、読取制御部１４０３、合成指示マークを検出するためのマーク検出部１４０４及び画像合成部１４０５を備える。
【０００９】
図１５はキャリアシートで読み取った画像を合成するまでの説明図である。
【００１０】
ステップＳ１７１１において、ユーザーは図１２に示すように原稿を半分に折り（図１２の１１）、キャリアシート１６に挟み込む。挟み込んだ原稿は、表面が図１２の１２、また裏面が図１２の１３のようにキャリアシート１６に配置される。
【００１１】
次に、ステップＳ１７１２において、読取制御部１４０３は、画像読取部４に対して、原稿の読取開始指示を行う。画像読取部４は、キャリアシートに挟まれた原稿４１１が給紙口４０１に置かれていることを原稿検知センサー４０２によって検知すると、搬送ローラー４０５を回転させる。原稿４１１の搬送に応じて、表面画像読取センサー４０４で表面のライン画像を、また、裏面画像読取センサー４０３で裏面のライン画像を取得する。読取制御部１４０３は、画像読取部４による読取画像を、通信部１４０１を介して受け取る。
【００１２】
ステップＳ１７１３において、読取制御部１４０３は、キャリアシートに印刷された合成指示マークを検出するためのマーク検出部１４０４を使って、読取画像に合成指示マークがあるか否かを確認し、キャリアシートを使用しているか否かを判定する。読取制御部１４０３は、読取画像に合成指示マークがないことをマーク検出部１４０４が検知した場合、キャリアシートを使用していないと判定して、ステップＳ１７１５に進む。そして、ステップＳ１７１５において、読取制御部１４０３は、表面画像と裏面画像を別々に出力する。
【００１３】
一方、ステップＳ１７１３において、読取制御部１４０３は、読取画像に合成指示マークがあることをマーク検出部１４０４が検知した場合は、キャリアシートを使用していると判定して、ステップＳ１７１４に進む。そして、ステップＳ１７１４において、読取制御部１４０３は、画像合成部１４０５を使って表面画像と裏面画像を合成し、図１２の１５のような画像を出力する。
【先行技術文献】
【特許文献】
【００１４】
【特許文献１】特許第４０５７５４５号
【発明の概要】
【発明が解決しようとする課題】
【００１５】
しかしながら、前述のように原稿を二つ折りにして画像を読み取る場合、図１２の１１のように原稿の中央に折り目をいれることを想定している。
【００１６】
キャリアシートを使って読み取る原稿の中には、図１６の２１に示すように、原稿の中央からそれた位置に折り目がついた原稿が存在する。図１６の折り目２２にそって原稿を折り、キャリアシートに原稿を挟み込むと、表面が図１６の２３、また裏面が２４のように配置されることになり、図１６の２５の領域に、原稿２１の裏面が見えてしまう。そのため、図１６の２６に示すように、得られた画像の右端に不要な画像がつくことになる。
【００１７】
原稿２１の折り目２２を伸ばして、中央から新たに折って読み取った場合は、上記のようなことはないが、この場合、折り目２２の部分に折り目の跡が画像に表示されてしまい綺麗な画像を読み取ることができない。
【００１８】
本発明は上記の課題に鑑みてなされたものであり、キャリアシートを使ってスキャンする際に、原稿の折り目の位置に関わらず原稿を正しく読み取り、画像合成を行うことを目的とする。
【課題を解決するための手段】
【００１９】
上記の目的を達成するための本発明による画像処理装置は以下の構成を備える。即ち、
一対のフイルムシートの一辺をとじ合わせ内部に原稿を挟むことのできる読取用シートを用いて読み取った画像を処理する画像処理装置であって、
前記読取用シートの表面及び裏面から、各々表面画像及び裏面画像を読み取る画像読取部と、
前記表面画像及び裏面画像の少なくとも一方の所定の位置に存在する、前記表面画像と前記裏面画像との合成を指示するための合成指示マークを検出するマーク検出部と、
前記マーク検出部が前記合成指示マークを検出する場合、前記合成指示マークの位置に基づいて、前記表面画像及び裏面画像の少なくとも一方から画像を切り出す切出位置を判定する切出判定部と、
前記切出判定部で判定される切出位置から切り出した表面切出画像及び裏面切出画像を合成する画像合成部と
を備える。
【発明の効果】
【００２０】
本発明によれば、キャリアシートを使ってスキャンする際に、原稿の折り目の位置に関わらず原稿を正しく読み取り、画像合成を行うことができる。
【図面の簡単な説明】
【００２１】
【図１】実施形態１の画像処理装置の構成図である。
【図２】実施形態１のキャリアシートを示す図である。
【図３】実施形態１のキャリアシートでの読取を説明するための図である。
【図４】実施形態１の画像読取時の処理を示すフローチャートである。
【図５】実施形態１の画像切出位置マークを示す図である。
【図６】実施形態１の合成後の画像を示す図である。
【図７】実施形態２の画像処理装置の構成図である。
【図８】実施形態２の読取設定ウィンドウの説明図である。
【図９】実施形態２のキャリアシートでの読取を説明するための図である。
【図１０】実施形態２の画像読取時の処理を示すフローチャートである。
【図１１】キャリアシートの説明図ある。
【図１２】キャリアシートでの読取を説明するための図ある。
【図１３】従来の画像処理装置の構成図である。
【図１４】画像読取部の概略図である。
【図１５】従来の画像読取時の処理を示すフローチャートである。
【図１６】キャリアシートでの読取を説明するための図ある。
【発明を実施するための形態】
【００２２】
以下、本発明の実施の形態について図面を用いて詳細に説明する。
【００２３】
＜実施形態１＞
図１は実施形態１の画像処理装置の構成図である。
【００２４】
画像処理装置３００は、画像読取部４と画像処理部３０を備える。
【００２５】
実施形態１においては、画像読取部４はスキャナー等の画像読取装置として、また、画像処理部３０はパーソナルコンピューター等の情報処理装置として説明するが、本実施形態により本発明が限定されるものではない。尚、画像読取部４の詳細構成は、図１４で説明したとおりである。
【００２６】
図２は実施形態１のキャリアシートを示す図である。
【００２７】
図２のキャリアシート５０は、一対のフイルムシートの一辺をとじ合わせ内部に原稿を挟むことのできる読取用シートである。キャリアシート５０の上部の領域５４には、合成指示マーク５１が印刷されている。合成指示マーク５１の大きさ、色、および並びは予め定められたものである。実施形態１のキャリアシート５０では、黒い正方形の合成指示マーク５１が並んで配置されている構成としているが、本実施形態により本発明が限定されるものではない。
【００２８】
キャリアシート５０には、画像切出位置マーク５２が貼り付けられている。画像切出位置マーク５２の大きさ、色は予め定められたものである。上部の領域５４は表面と裏面の画像切出位置マーク５２が検出できるように不透明になっていて、このキャリアシート５０上の所定の領域である領域５４に画像切出位置マーク５２が存在する。画像切出位置マーク５２はシール状になっており、画像有効領域の境界を指定（規定）するために、所定の領域内（領域５４）でその位置が変更可能に構成されている。画像切出位置マーク５２は、合成指示マーク５１の並びに沿って、任意の位置に貼り付け（設定）可能であり、これにより、所望のサイズで原稿画像を切り出すことが可能となる。
【００２９】
尚、実施形態１では、画像切出位置マーク５２は、シール状の部材で構成されているが、本実施形態により本発明が限定されるものではない。図２の５３の位置に読み取るための原稿を配置する。
【００３０】
また、実施形態１のキャリアシート５０では、図２の画像切出位置マーク５２を黒い三角形として配置されている構成としているが、本実施形態により本発明が限定されるものではない。実施形態１においては、合成指示マーク５１と画像切出位置マーク５２を別々に示しているが、画像切出位置マーク５２が合成指示マーク５１を兼ねてもよい。
【００３１】
このように、合成指示マーク５１としても機能する画像切出位置マーク５２は、キャリアシート５０上（読取用シート上）の表面及び裏面の少なくとも一方における画像読取部４で読取可能な位置で、かつその位置が変更可能に配置されている。
【００３２】
画像処理部３０は、ソフトウェアとしてのＯＳプログラムや画像データを編集するためのソフトウェア群を記憶する記憶部３８、画像処理部３０に接続された画像読取部４の情報や画像データを読み込むための通信部３１を備える。また、画像処理部３０は、通信部３１から取り込んだ画像を処理するための制御部３２、制御部３２で処理された画像を外部へ出力するための入出力部３７を備える。
【００３３】
画像処理部３０には、処理内容をユーザーに通知するための表示装置（不図示）とユーザーからの指示を入力するキーボードやポインティングデバイス等の入力装置（不図示）が接続される。
【００３４】
制御部３２は、読取制御部３３、マーク検出部３４、切出判定部３５及び画像合成部３６を備える。
【００３５】
図３のように、画像切出位置マーク６１ａ及び６１ｂを２つ配置したキャリアシート表面６１と、画像切出位置マーク６２ａ及び６２ｂを２つ配置したキャリアシート裏面６２を読み取った場合の処理を、図４のフローチャートを用いて説明する。
【００３６】
ステップＳ７０１において、読取制御部３３は、画像読取部４に対して、原稿の読取開始指示を行う。画像読取部４はキャリアシート毎に原稿の両面を読み取る。読取制御部３３は、画像読取部４による読取画像を、通信部３１を介して受け取る。
【００３７】
次に、ステップＳ７０２において、読取制御部３３は、キャリアシートに印刷された合成指示マークを検出するためのマーク検出部３４を使って、読取画像に合成指示マークがあるか否かを確認し、キャリアシートを使用しているか否かを判定する。
【００３８】
マーク検出部３４は、読取画像の所定の領域を二値化し、黒画素の並びから合成指示マークの有無を判定する。読取制御部３３は、読取画像に合成指示マークがないことをマーク検出部３４が検知した場合、キャリアシートでないと判定して、ステップＳ７０７に進む。そして、ステップＳ７０７において、読取制御部３３は、読み取った表面画像と裏面画像を別々に出力する。
【００３９】
一方、読取制御部３３は、読取画像に合成指示マークがあることをマーク検出部３４が検知した場合、キャリアシートが使用されていると判定して、ステップＳ７０３に進む。ステップＳ７０３において、切出判定部３５を用いて画像切出位置マーク５２があるか否かを判定する。切出判定部３５は、読取画像の所定の領域５４を斜行補正した後、二値化し予め決められた形をした黒画素の領域を探索する。画像切出位置は、図５に示すように検出した画像切出位置マークの長辺ｄの中央とする。切出判定部３５は、複数の画像切出位置マークを検出し、画像の切出位置を特定する。
【００４０】
ステップＳ７０３において、キャリアシート表面６１の表面画像から画像切出位置マーク６１ａと６１ｂを検出した切出判定部３５は、ステップＳ７０４において、画像切出位置マーク６１ａと６１ｂの間の領域を有効領域Ｗｆとみなし、切出処理を行う。
【００４１】
同様に、ステップＳ７０３において、キャリアシート裏面６２の裏面画像から画像切出位置マーク６２ａと６２ｂを検出した切出判定部３５は、ステップＳ７０４において、画像切出位置マーク６２ａと６２ｂの間の領域を有効領域Ｗｂとみなし、切出処理を行う。
【００４２】
ステップＳ７０５において、画像合成部３６は、ステップＳ７０４で切り出された表面切出画像と裏面切出画像を所定の方向（例えば、長手方向／短手方向）に合成する。合成画像の幅は、図６に示すように、表面の画像幅Ｗｆ、裏面の画像幅Ｗｂの和になっている。ステップＳ７０６において、制御部３２は、画像合成後、入出力部３７から合成画像データを出力する。
【００４３】
以上説明したように、実施形態１によれば、キャリアシート上に、画像の切出位置を特定するための画像切出位置マークを構成することで、キャリアシート表裏でサイズが異なる画像が配置される場合でも、適切な画像の切出と合成を行うことができる。
【００４４】
つまり、キャリアシートを用いて折り目が中央に位置していない定型外の原稿の画像読取を取得する際も必要のない領域は出力されないので、ユーザーの利便性を向上させることができる。
【００４５】
また、キャリアシート上に原稿読取領域の幅を容易に設定できるため操作性を向上させることができる。
【００４６】
＜実施形態２＞
図７は実施形態２の画像処理装置の構成図である。
【００４７】
画像処理装置１２００は、画像読取部４と画像処理部１２１０を備える。
【００４８】
実施形態２においては、画像読取部４はスキャナー等の画像読取装置として、また、画像処理部１２１０はパーソナルコンピューター等の情報処理装置として説明するが、本実施形態により本発明が限定されるものではない。尚、画像読取部４の詳細構成は、図１４で説明したとおりである。
【００４９】
画像処理部１２１０は、ソフトウェアとしてのＯＳプログラムや画像データを編集するためのソフトウェア群を記憶する記憶部１２１９、画像処理部１２１０に接続された画像読取部４の情報や画像データを読み込むための通信部１２１１を備える。また、画像処理部１２１０は、通信部１２１１から取り込んだ画像を処理するための制御部１２１２、制御部１２１２で処理された画像を外部へ出力するための入出力部１２１８を備える。
【００５０】
画像処理部１２１０には、処理内容をユーザーに通知するための表示装置（不図示）とユーザーからの指示を入力するキーボードやポインティングデバイス等の入力装置（不図示）が接続される。
【００５１】
制御部１２１２は、読取制御部１２１３、マーク検出部１２１４、切出判定部１２１５、画像合成部１２１６及び読取設定部１２１７を備える。
【００５２】
図８は、読取設定部１２１７が表示部１２２０に表示する読取設定ウィンドウ１３０である。図８の１３１の各設定項目は、画像を読み取る際の設定項目、例えば、カラーモードや解像度、用紙サイズ等を設定できる。１３２及び１３３の設定項目は、画像切出位置マーク検出時の有効領域を指定するための設定である。読取画像において、画像切出位置マークが１つしか検出されない場合に、画像切出位置マークの右側を切り出すのか、それとも左側を切り出すのかを設定できる。実施形態２では、表面画像の時は右側、また裏面画像の時は左側に設定する例を示しているが、本実施形態により本発明が限定されるものではない。
【００５３】
図９のように、画像切出位置マーク１０１ａの位置に設置したキャリアシート表面１０１と画像切出位置マーク１０２ｂの位置に設置したキャリアシート裏面１０２を読み取る場合の処理を、図１０のフローチャートを用いて説明する。
【００５４】
ステップＳ１１１において、読取制御部１２１３は、画像読取部４に対して、原稿の読取開始指示を行う。画像読取部４はキャリアシート毎に原稿の両面を読み取る。読取制御部１２１３は、画像読取部４による読取画像を、通信部１２１１を介して受け取る。
【００５５】
次に、ステップＳ１１２において、読取制御部１２１３は、キャリアシートに印刷された合成指示マークを検出するマーク検出部１２１４を使って、読取画像に合成指示マークがあるか否かを確認し、キャリアシートを使用しているか否かを判定する。
【００５６】
マーク検出部１２１４は、読取画像の所定の領域を二値化し、黒画素の並びから合成指示マークの有無を判定する。読取制御部１２１３は、マーク検出部１２１４が読取画像に合成指示マークがないことを検知した場合、キャリアシートでないと判定して、ステップＳ１１７に進む。そして、ステップＳ１１７において、読取制御部１２１３は、表面画像と裏面画像を別々に出力する。
【００５７】
一方、読取制御部１２１３は、読取画像に合成指示マークがあることをマーク検出部１２１４が検知した場合、キャリアシートが使用されていると判定して、ステップＳ１１３に進む。切出判定部１２１５は、ステップＳ１１３において、キャリアシート表面１０１の表面画像の画像切出位置マーク１０１ａ及びキャリアシート裏面１０２の裏面画像の画像切出位置マーク１０２ｂがあるか否かを確認し、画像切出位置を検出する。ステップＳ１１３において、読取制御部１２１３は、切出判定部１２１５が、画像切出位置マークがないことを検知した場合、ステップＳ１１５に進む。
【００５８】
ステップＳ１１４において、切出判定部１２１５は、キャリアシート表面１０１の表面画像の画像切出位置マーク１０１ａと読取設定部１２１７で設定された画像切出位置マーク検出時の表面設定値１３２との間の領域を有効領域Ｗｆ２と判定する。そして、その有効領域Ｗｆ２に対応する画像の切出処理を行う。実施形態２では、予め読取設定部１２１７において設定している画像切出位置マーク検出時の表面設定値１３２を右端としているが、本実施形態により本発明が限定されるものではない。
【００５９】
同様に、ステップＳ１１４において、切出判定部１２１５は、キャリアシート裏面１０２の裏面画像の画像切出位置マーク１０２ｂと読取設定部１２１７で設定された画像切出位置マーク検出時の裏面設定値１３３との間の領域を有効領域Ｗｂ２と判定する。そして、有効領域Ｗｂ２に対応する画像の切出処理を行う。実施形態２では、予め読取設定部１２１７において設定している画像切出位置マーク検出時の裏面設定値１３３を左端としているが、本実施形態により本発明が限定されるものではない。
【００６０】
ステップＳ１１５において、画像合成部１２１６は、ステップＳ１１４で切り出された表面画像と裏面画像を合成する。合成画像の幅は、表面の画像幅Ｗｆ２と裏面の画像幅Ｗｂ２になっている。ステップＳ１１６において、制御部１２１２は、画像合成後、入出力部１２１８から合成画像データを出力する。
【００６１】
尚、読取設定部１２１７で設定する、画像切出位置マーク検出時の表面設定値１３２および画像切出位置マーク検出時の裏面設定値１３３は、画像切出時に読取設定ウィンドウ１３０を表示し、ユーザーに設定値を入力してもらってもよい。
【００６２】
以上説明したように、実施形態２によれば、画像切出位置マークを基準に切り出す側（有効領域）を事前に設定することができるので、キャリアシートの表裏の各面で１つの画像切出位置マークを配置するだけで、容易に画像切出位置を設定することができる。
【００６３】
＜実施形態３＞
実施形態１及び２において、シール状の画像切出位置マークをキャリアシート上に貼り付けることにより画像切出位置を設定しているが、これに限定されない。例えば、キャリアシート５０を領域５４にガイドレールに沿ってスライド可能な画像切出位置マークを取り付けて、その画像切出位置マークをスライドさせることで画像切出位置を設定する構成としてもよい。
【００６４】
尚、本発明は、以下の処理を実行することによっても実現される。即ち、上述した実施形態の機能を実現するソフトウェア（プログラム）を、ネットワーク又は各種記憶媒体を介してシステムまたは装置に供給し、そのシステムまたは装置のコンピュータ（またはＣＰＵやＭＰＵ等）がプログラムを読み出して実行する処理である。
【図１】
2014068243.tif 000003
【図２】
2014068243.tif 000004
【図３】
2014068243.tif 000005
【図４】
2014068243.tif 000006
【図５】
2014068243.tif 000007
【図６】
2014068243.tif 000008
【図７】
2014068243.tif 000009
【図８】
2014068243.tif 000010
【図９】
2014068243.tif 000011
【図１０】
2014068243.tif 000012
【図１１】
2014068243.tif 000013
【図１２】
2014068243.tif 000014
【図１３】
2014068243.tif 000015
【図１４】
2014068243.tif 000016
【図１５】
2014068243.tif 000017
【図１６】
2014068243.tif 000018